(57)【要約】【課題】従来の撮影画像にぶれ補正機能が搭載された一眼レフカメラは、フレーミング時にぶれ補正が正しく機能しているか確認できず、また搭載されていてもフレーミング時のぶれ補正が十分なされていない。ファインダ像の被写体像の一部が欠けた撮影画像が撮影される問題がある。【解決手段】本発明は、撮影光学系に対するぶれ補正機能と移動可能なリレーレンズによるファインダ光学系のぶれ補正機能を併せ持ち、ファインダ内に映し出されるファインダ像に対するぶれ補正量を撮影画像に対するぶれ補正量よりも多く設定してフレーミング時のぶれ補正が十分に確保され、撮影画像の撮影範囲よりも狭く規制された視野枠を用いて、ファインダ像内の主要被写体が撮影画像の範囲内に収まる撮影画像を得る一眼レフカメラである。【選択図】    図１
2006065096.tif 000002
【特許請求の範囲】
【請求項１】
撮影光学系と、
上記撮影光学系の光束を用いて第１と第２の観察範囲で被写体像の観察が可能な観察光学系と、
ぶれを検出する検出手段と、
上記検出手段の出力に応じて上記観察光学系が形成する被写体像のぶれを補正する第１のぶれ補正手段と、
上記検出手段の出力に応じて撮影光学系が撮影媒体上に形成する被写体像のぶれを補正する第２のぶれ補正手段と、を有し、
上記第１のぶれ補正手段の補正量が上記第２のぶれ補正手段の補正量より大きい関係を持つ一眼レフカメラにおいて、
上記観察光学系は、上記第２のぶれ補正手段のみを動作させる際には第１の範囲で観察可能であり、上記第１と第２のぶれ補正手段を動作させる際には、第２の範囲で観察可能であることを特徴とする一眼レフカメラ。
【請求項２】
上記第１の観察範囲は、撮影領域と略一致し、上記第２の観察範囲は上記第１のぶれ補正手段の動作による被写体像の変位が生じても撮影領域内に収まるように設定されていることを特徴とする請求項１に記載の一眼レフカメラ。
【請求項３】
上記観察光学系は、観察範囲を変えるため、上記第１の観察範囲と上記第２の観察範囲にそれぞれ対応した視野マスクを有することを特徴とする請求項１に記載の一眼レフカメラ。
【請求項４】
上記第２の観察範囲に対応した視野マスクは、上記第１のぶれ補正手段の動作に応じて上記観察光学系の光路に進退されることを特徴とする請求項３に記載の一眼レフカメラ。
【請求項５】
上記観察光学系は、第１の観察範囲と第２の観察範囲を区別するための指標が描画された視野マスクを有することを特徴とする請求項１に記載に一眼レフカメラ。
【請求項６】
上記観察光学系は、第１の観察範囲が有効か又は第２の観察範囲が有効であるかを示す表示手段を持つことを特徴とする請求項１に記載の一眼レフカメラ。
【請求項７】
前記ぶれ補正手段において、
前記第２の範囲における観察像に対して、Ｘ軸方向のぶれ補正量±ｘ１、Ｙ軸方向のぶれ補正量±ｙ１を最大値とし、
前記第１の範囲における撮影画像に対して、Ｘ軸方向のぶれ補正量±ｘ２（｜ｘ２｜＜｜ｘ１｜）、Ｙ軸方向のぶれ補正量±ｙ２（｜ｙ２｜＜｜ｙ１｜）を最大値とし、
前記観察像のぶれ補正量は、
｛２×（ｘ１）｝＞｛２×（ｘ２）｝  and  ｛２×（ｙ１）｝＞｛２×（ｙ２）｝  
による条件により設定されることを特徴とする請求項１に記載の一眼レフカメラ。
【請求項８】
前記ぶれ補正手段において、
前記第２の範囲における観察像に対して、Ｘ軸方向の寸法をｘS、Ｙ軸方向の寸法をｙSとし、
前記第１の範囲における撮影画像に対して、Ｘ軸方向の寸法をｘE（ｘE＞ｘS）、Ｙ軸方向の寸法をｙE（ｙE＞ｙS）とすると、
［ｘE−｛２×（ｘ１）｝］≧ｘS  and  ［ｙE−｛２×（ｙ１）｝］≧ｙS  
となる寸法で規定され、前記観察像のぶれ補正量の最大時に前記撮影画像の範囲を超えないことを特徴とする請求項７に記載の一眼レフカメラ。
【発明の詳細な説明】
【技術分野】
【０００１】
本発明は、撮影画像のぶれ補正機能とファインダ像のぶれ補正機能を併せ持つ一眼レフレックスカメラに関する。
【背景技術】
【０００２】
一般に、撮影者がカメラを手で持ち撮影を行った場合に、撮影者の手の揺れが手ぶれとして撮影画像に影響して、失敗写真となる場合がある。これを防止するために種々の手ぶれ補正機能が提案され、カメラに搭載されている。
【０００３】
例えば、特許文献１には、撮像素子及び該撮像素子が搭載されている基板が、光軸に垂直な面内で移動可能に、鏡胴の一端に配置された撮像装置が提案されている。この撮像装置は、デジタルスチルカメラやデジタルビデオカメラなどにおいて、撮像素子が手振れ補正や光軸合わせのために鏡胴に対して揺動して、ぶれ補正を行うものである。
【０００４】
また、特許文献２には、撮影光学系に手ブレ補正機能とファインダ光学系に手ブレ補正機能を備えたｎｏｎ−ＴＴＬファインダカメラが提案されている。このカメラにより、手振れ補正機能が正しく働いているか否かをファインダを覗いている際に確認できる。
【特許文献１】特開２００３−１１０９９１９公報
【特許文献２】特開平９−３２９８２０号公報
【発明の開示】
【発明が解決しようとする課題】
【０００５】
しかし、前述した特許公報１におけるカメラは、フレーミング時にぶれのないファインダ像を観察することができないため、撮影画像に対するぶれ補正が正しくおくなわれているか、即ち、特許文献２に指摘するように、フレーミング時にぶれ補正が正しく機能しているか確認できない。
【０００６】
また、特許文献２においては、ｎｏｎ−ＴＴＬファインダカメラに適用される構造であるため、一眼レフレックスカメラ（以下、一眼レフカメラとする）にそのまま適用することができない。特に、特許文献２においては、ファインダ像に対するぶれ補正量を撮影画像のぶれ補正量よりも少なくすることが提案されている。しかし、撮影時は、露光中の極短時間に発生するぶれを補正すればよいのに対して、フレーミング時はその期間中、即ち、露光時間よりも十分に長い期間に亘って、ぶれを補正する必要があるため、発生するぶれの度合いはフレーミング時の方が多くなる。従って、ファインダ像のぶれ補正は、わずかな量しか行われないことになり、フレーミング時のぶれ補正が十分なされないカメラとなってしまう。
【０００７】
これに対して、単にファインダ像のぶれ補正量を撮影画像のぶれ補正量より大きくすると、ぶれ補正量が異なるため、露光時にぶれ補正が行われた場合には、ファインダで観察していた領域が撮影画像上にすべてはいらない状況が発生した。つまり、ファインダ内で全体が観察できた被写体像が撮影画像となった際に、その被写体像の一部が欠けているという事態が生じる。
【０００８】
そこで本発明は、撮影画像のぶれ補正機能とファインダ像のぶれ補正機能を併せ持ち、これらのぶれ補正機能による補正量の関係を適切にユーザに示すことができ、且つ観察したファインダ像が欠損しない撮影画像を得ることができる一眼レフカメラを提供することを目的とする。
【課題を解決するための手段】
【０００９】
本発明は上記目的を達成するために、撮影光学系と、上記撮影光学系の光束を用いて第１と第２の観察範囲で被写体像の観察が可能な観察光学系と、ぶれを検出する検出手段と、上記検出手段の出力に応じて上記観察光学系が形成する被写体像のぶれを補正する第１のぶれ補正手段と、上記検出手段の出力に応じて撮影光学系が撮影媒体上に形成する被写体像のぶれを補正する第２のぶれ補正手段と、を有し、上記第１のぶれ補正手段の補正量が上記第２のぶれ補正手段の補正量より大きい関係を持つ一眼レフカメラにおいて、上記観察光学系は、上記第２のぶれ補正手段のみを動作させる際には第１の範囲で観察可能であり、上記第１と第２のぶれ補正手段を動作させる際には、第２の範囲で観察可能である一眼レフカメラを提供する。
【００１０】
以上のような構成の一眼レフカメラは、撮影光学系に対するぶれ補正機能とファインダ内に設けられた観察光学系のぶれ補正機能を併せ持ち、ファインダ内に映し出される観察像に対するぶれ補正量を撮影画像に対するぶれ補正量よりも多く設定してフレーミング時のぶれ補正を十分確保し、撮影画像の視野枠よりも撮影範囲が狭く規制された視野枠を用いて、ファインダ像内の観察像の領域が撮影光学系による視野範囲内に収まった撮影画像が得られる。
【発明の効果】
【００１１】
本発明によれば、撮影画像のぶれ補正機能とファインダ像のぶれ補正機能を併せ持ち、これらのぶれ補正機能による補正量の関係を適切にユーザに示すことができ、且つファインダ像で観察可能な領域が欠損しない撮影画像を得ることができる一眼レフカメラを提供することができる。
【発明を実施するための最良の形態】
【００１２】
以下、図面を参照して本発明の実施形態について詳細に説明する。  
図１には、本発明の第１の実施形態に係るレンズ交換式一眼レフカメラのブロック断面構成を示して説明する。
【００１３】
このカメラは、カメラ本体１と、マウント機構により着脱自在な撮影レンズ２とで構成される。  
カメラ本体１内には、撮影光学系として、撮影レンズ２により結像された被写体像を受光して光電変換により撮影画像を生成するＣＣＤやＣＭＤ等の撮像素子（イメージャ）３が配設され、さらに撮像素子（イメージャ）３の前方で光路上にはクイックリターンミラー４と、その後方にフォーカルプレーンシャッタ機構５（以下、シャッタ機構とする）とが配設される。クイックリターンミラー４は、一端がシャッタ機構５又はその近傍に支持され、回動可能に構成される。
【００１４】
また、観察光学系（ファインダ光学系）として、クイックリターンミラー４から接眼レンズ（ルーペレンズ）１４を通り、ファインダ像を結像するための光路上に沿って、フォーカシングスクリーン６、プリズム７、第１の固定ミラー８、一端が回動可能に支持される後述するリレーレンズ９、第２の固定ミラー１０、第３の固定ミラー１１、固定視野枠１２及び可動視野枠１３が配設される。これらの部位の駆動制御を行うシステムコートローラ（ＣＰＵ等）１５が設けられている。
【００１５】
このシステムコントローラ１５は、撮像素子３における駆動制御信号や生成された撮影画像（画像データ）を伝搬するＣＣＤインターフェイス回路１６と、クイックリターンミラー４を回動動作させるミラー駆動機構１７と、シャッタ機構５を駆動するシャッタ制御機構１８と、撮影時における手ぶれ等のぶれを検出するぶれ検出部１９と、ぶれ検出部１９により検出されたぶれ量からぶれを補正するためのぶれ補正量を生成するぶれ補正コントローラ２０と、ぶれ補正量に基づき、ぶれを補正するように撮像素子３を光軸方向と垂直方向（結像面方向）で２次元的に移動させる撮像素子移動機構２１と、撮像素子３と同様にぶれ補正量に基づきリレーレンズ９を光軸に対して垂直方向で２次元的に移動させるリレーレンズ移動機構２２と、可動視野枠１３を可動する視野枠切換機構２３と、レリーズスイッチやファインダ補正スイッチ等のスイッチからなるカメラ操作スイッチ部２４と、撮影された画像データを記憶する着脱自在な画像データ記録メディア２５などを制御する。
【００１６】
このように構成されたカメラは、フレーミング時には、クイックリターンミラー４は、ダウン状態となり、撮影レンズ２からの光束をファインダ光学系へ反射して、フォーカシングスクリーン６に結像（観察像又はファインダ像）する。このファインダ像は、プリズム７内面を反射して通過し、固定ミラー８で反射してリレーレンズ９に入射する。このリレーレンズ９で正立像に再結像されたファインダ像は、固定ミラー１０，１１を反射して視野枠１２又は１３を通過して周囲が規定され、ルーペレンズ１４で拡大され、撮影者に観察される。  このとき、撮像素子３と同様に、リレーレンズ９は、ぶれ補正コントローラ２０により生成されたぶれ補正量に基づき、リレーレンズ移動機構２２によりぶれ補正が行われる。
【００１７】
固定視野枠（視野マスク）１２は、ファインダ光学系（観察像）のぶれ補正が行われていない時に使用される視野枠であり、撮影画像の視野範囲と同等な領域（第１の観察範囲）が観察できる。また可動視野枠（視野マスク）１３は、ファインダ光学系（観察像）のぶれ補正が行われていないときには、視野枠切換機構２３により回動されて退避する。一方、ファインダ光学系（観察像）のぶれ補正が行われる場合には、固定視野枠１２に重なるように移動され、ファインダ像（観察像）の外周を規定して固定視野枠１２による像領域よりも狭い像領域（第２の観察範囲）を通過させる。
【００１８】
また、レリーズスイッチが操作された撮影時には、クイックリターンミラー４は、跳ね上げられてアップ状態となり、撮影レンズ２からの光束がシャッタ機構５に入射する。このシャッタ機構５は、シャッタ制御機構１８の制御により駆動して撮像素子３に被写体像を露光させる。このとき、ぶれ検出部１９が撮影時におけるぶれを検出した場合には、ぶれ補正コントローラ２０により生成されたぶれ補正量に基づき、撮像素子移動機構２１により撮像素子３を移動させて、撮影画像のぶれ補正が行われる。
【００１９】
尚、本実施形態では、リレーレンズ９を設けてファインダ像のぶれ補正を行った例について説明したが、勿論この構成に限定されるものではなく、例えば、プリズム７を移動させてもよい。また、固定ミラーのいずれかを可動ミラーとして構成してもよい。
【００２０】
次に、このように構成されたカメラにおけるファインダ像のぶれ補正について説明する。図２（ａ）は、撮像素子３の受光面に結像する撮影画像又は、固定視野枠１２により規定されたファインダ像におけるぶれ補正量を示している。ここで、２点差線で示す領域は、ぶれ補正に用いるときの撮影画像補正範囲を示している。また、図２（ｂ）は、可動視野枠１３により規定されたファインダ像におけるぶれ補正量を示している。図２（ｃ）は、図２（ａ）に示した撮影画像と同図（ｂ）に示したファインダ像を重ね合わせた時のぶれ補正量を示している。
【００２１】
図２（ｂ）に示すように、可動視野枠１３により規定されているファインダ像における視野範囲に対して、Ｘ軸方向に±ｘ１、Ｙ軸方向に±ｙ１をぶれ補正量（移動距離）の最大値として設定している。これに対して、図２（ａ）に示すように撮影画像（固定視野枠１２による視野範囲）に対しては、Ｘ軸方向に±ｘ２、Ｙ軸方向に±ｙ２をぶれ補正量の最大値として設定している。
【００２２】
撮影時には、露光中の短時間に発生するぶれを補正すればよいが、フレーミング時には、そのファインダを覗いている期間中、即ち露光時間に対して十分に長い期間中に発生するぶれを補正する必要がある。このため、補正を行うことができるぶれ補正量を撮影画像に対して、ファインダ像のぶれ補正量を多く設定している。つまり、ぶれ補正量は、  
｛２×（ｘ１）｝＞｛２×（ｘ２）｝  and  ｛２×（ｙ１）｝＞｛２×（ｙ２）｝  
による条件により設定される。
【００２３】
そして、撮影画像の撮影範囲に対して、ファインダ像の視野範囲を狭くし、ファインダ像のぶれ補正量の最大時に撮影画像の範囲を超えない寸法に設定する。例えば、撮影画像の範囲をＸ軸方向、Ｙ軸方向をｘE，ｙEとし、視野範囲の寸法をｘS，ｙSとすると、
［ｘE−｛２×（ｘ１）｝］≧ｘS  and  ［ｙE−｛２×（ｙ１）｝］≧ｙS  
となる寸法で規定している。よって、図２（ａ）に示した撮影画像と図２（ｂ）に示したファインダ像とを重ね合わせた場合、図２（ｃ）に示すようなぶれ補正量となる。
【００２４】
従って、フレーミング時は、長い時間に亘ってぶれ補正が行われるため、そのぶれ補正量を多く設定すれば、フレーミング時のファインダ像を安定させる効果が高められる。一方、撮影時には露光時間中のぶれ補正を行えばよいため、フレーミンク時ほどぶれ補正量が必要としないため、ぶれ補正量の設定値を少なくしている。
【００２５】
次に図３及び図４を参照して、撮影画像に対してファインダ像における最大に補正された状態について説明する。ここで、図３（ａ）はぶれ補正量が０、補正なしの状態を示し、同図（ｂ）はファインダ像が左上方向にぶれた状態を示し、同図（ｃ）はファインダ像が右上方向にぶれた状態を示し、同図（ｄ）はファインダ像が左下方向にぶれた状態を示し、同図（ｅ）はファインダ像が右下方向にぶれた状態を示している。図４（ａ）〜（ｅ）は、それぞれに図３（ａ）〜（ｅ）に対応する撮影画像を示している。
【００２６】
例えば、図３（ａ）に示す状態からフレーミングを開始し、ぶれ補正を行った場合、その後、Ｘ，Ｙ軸方向に振れたときに、最大で図３（ｂ）〜（ｅ）に示す状態までぶれ補正が行われる。撮影者がフレーミングして、例えば図３（ｂ）の状態でレリーズ操作を行った場合、クイックリターンミラー４が跳ね上がり、同時に、ぶれ検出部１９により検出されたぶれ量に基づく撮影画像のぶれ補正が開始される。このとき撮影される撮影画像は、図３（ｂ）の破線で示す範囲となる。その後、フォーカルプレーンシャッタ５による露光が開始され、露光中のぶれを補正する。つまり、この撮影範囲が維持されるようにぶれ補正が行われ、図４（ｂ）に示す撮影画像が撮影される。
【００２７】
このようなぶれ補正により、フレーミング時に可動視野枠１３内のファインダ像は、ファインダ像のぶれ補正及び撮影が像のぶれ補正を行った場合には、必ずファインダ像を含む撮影画像が撮影される。
【００２８】
また図５には、ファインダ光学系（観察像）のぶれ補正をＯＦＦ（停止）した状態のカメラの設定状態を示し、図６には、このぶれ補正停止状態における視野内のファインダ像（観察像）の例を示している。尚、図５，６に示す構成部位については、図１に示した構成部位と同等の部位には同じ参照符号を付してその説明を省略する。
【００２９】
ファインダ光学系（観察像）のぶれ補正をＯＦＦした場合には、視野枠切換機構２３により可動視野枠１３が回動され、固定視野枠１２による視野範囲から退避する。従って、図５に示すように可動視野枠１３によりも広い固定視野枠１２に規定された視野範囲となる。このときの固定視野枠１２による視野範囲は、Ｘ，Ｙ軸方向とも、撮像素子３における撮影画像の範囲と同じ寸法となる。従って、ぶれ補正を行わない場合には、視野ずれの発生しない従来のファインダとして使用することができる。
【００３０】
図７に示すフローチャートを参照して、第１の実施形態におけるぶれ補正を行い撮影する手順について説明する。
【００３１】
まず、カメラ操作スイッチ部２４に含まれるファインダ光学系のぶれ補正を行うためのファインダ補正スイッチがＯＮされているか否かを判別する（ステップＳ１）。この判別において、ＯＮされていたならば（ＹＥＳ）、視野枠切換機構２３により可動視野枠１３が移動され、ファインダ光学系の光路内に進入し、固定視野枠１２に重ねられて設定される（ステップＳ２）。次に、ファインダ光学系のぶれ補正の動作が開始される（ステップＳ３）。このぶれ補正を機能させた状態を維持しつつ、レリーズスイッチがＯＮされたか否かを判別する（ステップＳ４）。レリーズスイッチがＯＮされなければ（ＮＯ）、ステップＳ３へ移行し、ファインダ光学系のぶれ補正を機能させた状態を維持する。レリーズスイッチがＯＮされたならば（ＹＥＳ）、次のステップＳ５へ移行する。
【００３２】
次のステップＳ５では、ファインダ光学系のぶれ補正動作が停止する。クイックリターンミラー４を跳ね上げ、フォーカルプレーンシャッタ５を駆動して撮像信号の露光動作を行う。そして、露光動作中は、ぶれ補正コントローラ２０により生成されたぶれ補正量に基づき、撮像素子移動機構２１により撮像素子３を移動させて、撮影画像のぶれ補正が行われる（ステップＳ５）。
【００３３】
一方、ステップＳ１の判別において、ファインダ補正スイッチがＯＮされていなければ（ＮＯ）、視野枠切換機構２３により可動視野枠１３が光路外へ退避される（ステップＳ６）。その後、レリーズスイッチがＯＮされることを待機して（ステップＳ７）、ＯＮされたならば（ＹＥＳ）、ステップＳ５へ移行して、露光動作が行われる。
【００３４】
これらの露光終了の後、撮像素子３で生成された画像データが取り込まれ、画像データ記録メディア２５に格納して（ステップＳ８）、一連の撮影シーケンスを終了する。
【００３５】
以上説明したように、本実施形態によれば、ファインダ内に映し出されるファインダ像に対するぶれ補正量を撮影画像に対するぶれ補正量よりも多く設定しているため、フレーミング時のぶれ補正が十分確保できる。さらにぶれ補正が行われているときの露光時には、ファインダ像内の主要被写体が撮影画像の範囲内からはみ出たり欠けたりすることがなく、必ず撮影画像内に含ませることができる。尚、ファインダ光学系のぶれ補正機能と撮影画像のぶれ補正機能がＯＦＦの時は、ファインダ像と撮影画像の撮影範囲が一致する。
【００３６】
次に第２の実施形態について説明する。  
本実施形態は、図８において、前述した第１の実施形態による視野枠（固定視野枠１２及び可動視野枠１３）とは構成が異なっており、またこれ以外の構成部位は同等であり同じ参照符号を付してその説明を省略する。
【００３７】
本実施形態によるカメラの視野枠３１は、図９に示すように、前述した第１の実施形態における固定視野枠１２と同じ大きさの視野範囲（ｘE，ｙE）を有する撮影画像枠３１ａと、その撮影画像枠３１ａ内で、可動視野枠１２のファインダ像の視野範囲（ｘS，ｙS）と同じ寸法による指標例えば、視野けがき線３１ｂが設けられている。この視野枠３１は、ガラスや透明樹脂等の透明材料により形成されており、撮影画像枠３１ａより外周側が遮光され、視野けがき線３１ｂが印刷されている。
【００３８】
さらに、表示手段として、この視野枠３１の下方向から照明光を照射する発光ダイオード（ＬＥＤ）３２が配設され、ぶれ補正を機能させているときに照明駆動回路３３により駆動して、視野けがき線３１ｂに照明光を照射して浮き立つようにして視認しやすくしてもよい。
【００３９】
このような構成により、ファインダ光学系におけるぶれ補正を機能させている場合には、視野けがき線３１ｂ内の主要被写体は確実に撮影画像に含まれることとなる。また、このぶれ機能を機能させない場合には、撮影画像枠３１ａ内の主要被写体を撮影画像に含ませることができる。
【００４０】
図１０に示すフローチャートを参照して、第２の実施形態におけるぶれ補正を行い撮影する手順について説明する。尚、図１０のステップにおいて、前述した第１の実施形態における図７のステップと同等のものには同じステップ番号を付してその詳細な説明を省略する。
【００４１】
まず、カメラ操作スイッチ部２４に含まれるファインダ補正スイッチがＯＮされているか否かを判別する（ステップＳ２１）。この判別において、ＯＮされていたならば（ＹＥＳ）、ファインダ内に設けられた視野枠３１の視野けがき線３１ｂにＬＥＤ３２による照明光を照射する又は、液晶表示させる（ステップＳ２２）。
【００４２】
以降、第１の実施形態と同様に、ファインダ光学系のぶれ補正を機能させて、レリーズ指示があった際に、撮影画像にぶれ補正を行いながら撮影を行う（ステップＳ３〜Ｓ５）。
【００４３】
一方、ステップＳ２１の判別において、ファインダ補正スイッチがＯＮされていなければ（ＮＯ）、視野けがき線の照明を消灯又は、液晶による視野けがき線の非表示を行う（ステップＳ２３）。そして、ステップＳ７にて、レリーズスイッチのＯＮが検出されるとステップＳ５に移行して、露光動作が行われる。
【００４４】
これらの露光終了の後、撮像素子３で生成された画像データを画像データ記録メディア２５に格納して（ステップＳ８）、一連の撮影シーケンスを終了する。
【００４５】
本実施形態においては、ファインダ光学系のぶれ補正を機能させている場合でも、視野けがき線３１ｂの外側まで観察ができるため、動いている被写体に対しては視野範囲を広く認識することができ、フレーミングがより行いやすい効果がえられる。また、前述した惰性１の実施形態に対して、視野切換機構２３や可動視野枠１３の退避スペースを確保する必要がないため、より簡易な構造で小型化やコスト低減が実現できる。
【００４６】
尚、変形例としては、前述した例では視野枠３１に視野けがき線３１ｂを印刷した例であったが、表示手段として視野枠３１を透過型の液晶基板で形成することにより、必要に応じて、視野けがき線３１ｂを表示・非表示を電気信号により切り換えてもよい。  
また視野枠を２つ設けることなく、ファインダ光学系を変倍可能な構成として、観察視野範囲を変更してもよい。
【図面の簡単な説明】
【００４７】
【図１】本発明の第１の実施形態に係るレンズ交換式一眼レフカメラのブロック断面構成を示す図である。
【図２】ファインダ像におけるぶれ補正について説明するための図である。
【図３】ファインダ像における最大ぶれ補正について説明するための図である。
【図４】図３におけるファインダ像における最大ぶれ補正に対応する撮影画像を示す図である。
【図５】第１の実施形態におけるぶれ補正機能を停止させた状態のカメラの設定状態を示す図である。
【図６】第１の実施形態におけるぶれ補正機能を停止させた状態の視野内のファインダ像の例を示す図である。
【図７】第１の実施形態におけるぶれ補正を行い撮影する手順について説明するためのフローチャートである。
【図８】本発明の第２の実施形態に係るレンズ交換式一眼レフカメラのブロック断面構成を示す図である。
【図９】第２の実施形態における視野枠について説明するための図である。
【図１０】第２の実施形態におけるぶれ補正を行い撮影する手順について説明するためのフローチャートである。
【符号の説明】
【００４８】
１…カメラ本体、２…撮影レンズ、３…撮像素子、４…クイックリターンミラー、５…フォーカルプレーンシャッタ機構、６…フォーカシングスクリーン、７…プリズム、８，１０，１１…固定ミラー、９…リレーレンズ、１２…固定視野枠、１３…可動視野枠、１４…接眼レンズ（ルーペレンズ）、１５…システムコントローラ、１６…ＣＣＤインターフェイス回路、１７…ミラー駆動機構、１８…シャッタ制御機構、１９…ぶれ検出部、２０…ぶれ補正コントローラ、２１…撮像素子移動機構、２２…リレーレンズ移動機構、２３…視野枠切換機構、２４…カメラ操作スイッチ部、２５…画像データ記録メディア。
【図１】
2006065096.tif 000003
【図２】
2006065096.tif 000004
【図３】
2006065096.tif 000005
【図４】
2006065096.tif 000006
【図５】
2006065096.tif 000007
【図６】
2006065096.tif 000008
【図７】
2006065096.tif 000009
【図８】
2006065096.tif 000010
【図９】
2006065096.tif 000011
【図１０】
2006065096.tif 000012